(57)【要約】【課題】取付装置を容易に取付対象に取り付けることができるようにする。【解決手段】取付装置は、一方向に延びるベース部１１、及び、一方向におけるベース部１１の両端部から互いに同じ方向に張り出して一方向において相互に対向する一対の張出部１２，１３、を有する第一固定部材２と、一対の張出部１２，１３の間に配され、第一固定部材２に対して一方向に移動可能に取り付けられた第二固定部材３と、第二固定部材３を一方の張出部１２に向けて付勢する付勢部材４と、第二固定部材３をベース部１１に押し付ける状態と、ベース部１１に対する第二固定部材３の押し付けを解除する状態とに切り換える押付切換部５と、を備える。【選択図】図３
2020197243.tif 000002
【特許請求の範囲】
【請求項１】
一方向に延びるベース部、及び、前記一方向における前記ベース部の両端部から互いに同じ方向に張り出して前記一方向において相互に対向する一対の張出部、を有する第一固定部材と、
一対の前記張出部の間に配され、前記第一固定部材に対して前記一方向に移動可能に取り付けられた第二固定部材と、
前記第二固定部材を一方の前記張出部に向けて付勢する付勢部材と、
前記第二固定部材を前記ベース部に押し付ける状態と、前記ベース部に対する前記第二固定部材の押し付けを解除する状態とに切り換える押付切換部と、を備える取付装置。
【請求項２】
前記ベース部は、前記一方向に延びる平坦面を有し、
前記第二固定部材は、前記平坦面に面接触する平坦な接触面を有する請求項１に記載の取付装置。
【請求項３】
前記第二固定部材から前記一方向に延びて他方の前記張出部を前記一方向に貫通する案内ピンを備える請求項１又は請求項２に記載の取付装置。
【請求項４】
前記ベース部には、前記一方向に延びる長孔が形成され、
前記第二固定部材から延びて前記長孔に挿入される突起部を備える請求項１から請求項３のいずれか一項に記載の取付装置。
【請求項５】
前記押付切換部が、クイックレバーである請求項１から請求項４のいずれか一項に記載の取付装置。
【請求項６】
前記第二固定部材は、一方の前記張出部との間に取付対象を挟む挟持部と、前記挟持部と一方の前記張出部との間に取付対象を案内する案内部と、を有し、
前記案内部は、前記一方向において一方の前記張出部に対向し、かつ、前記挟持部から離れるにしたがって前記一方向において一方の前記張出部から離れるように傾斜する傾斜面を有する請求項１から請求項５のいずれか一項に記載の取付装置。
【請求項７】
請求項１から請求項６のいずれか一項に記載の取付装置を取付対象に取り付ける取付装置の取付方法であって、
前記付勢部材の付勢力によって前記第二固定部材と一方の前記張出部との間に前記取付対象を挟んだ後に、前記押付切換部によって前記第二固定部材を前記ベース部に押し付ける取付装置の取付方法。
【発明の詳細な説明】
【技術分野】
【０００１】
本発明は、取付装置、及び、取付装置の取付方法に関する。
【背景技術】
【０００２】
液晶ディスプレイや有機ＥＬディスプレイなどの表示機器や、電球や蛍光灯などの照明機器等の各種機器が机上に直接載置されると、各種機器による机上の占有面積が大きくなり、机上の作業スペースが小さくなってしまう。そこで、机上における各種機器の占有面積を小さくするために、各種機器を支持する支柱の下端部に、机の天板の縁部をその厚さ方向から挟む取付装置を設けることが考えられている。
【０００３】
特許文献１には、コ字状の固定金具と、この固定金具の上下の側板の一方に取り付けられた長さ調整ネジと、を備える取付装置が開示されている。長さ調整ネジは、固定金具の一方の側板に形成された雌ねじ孔に噛み合わされている。この取付装置では、長さ調整ネジを固定金具に対して回転させることで、長さ調整ネジと固定金具の他方の側板との間隔が変化する。これにより、長さ調整ネジと他方の側板との間に机の天板をその厚さ方向から挟んで、取付装置を天板に取り付けることができる。
【先行技術文献】
【特許文献】
【０００４】
【特許文献１】実用新案登録第３０８３５２８号公報
【発明の概要】
【発明が解決しようとする課題】
【０００５】
しかしながら、特許文献１の取付装置では、天板などの取付対象の厚さに応じて取付装置の取付に要する長さ調整ネジの回転数が変わってしまう。このため、取付装置の取付作業が面倒になってしまう。例えば、取付対象の厚さが小さい場合には、取付装置の取付に要する長さ調整ネジの回転数が多くなるため、取付装置の取付作業が特に面倒となる。
【０００６】
この発明は、上述した事情に鑑みてなされたものであって、取付対象に容易に取り付けることが可能な取付装置及び取付装置の取付方法を提供することを目的とする。
【課題を解決するための手段】
【０００７】
本発明の一態様は、一方向に延びるベース部、及び、前記一方向における前記ベース部の両端部から互いに同じ方向に張り出して前記一方向において相互に対向する一対の張出部、を有する第一固定部材と、一対の前記張出部の間に配され、前記第一固定部材に対して前記一方向に移動可能に取り付けられた第二固定部材と、前記第二固定部材を一方の前記張出部に向けて付勢する付勢部材と、前記第二固定部材を前記ベース部に押し付ける状態と、前記ベース部に対する前記第二固定部材の押し付けを解除する状態とに切り換える押付切換部と、を備える取付装置である。
【０００８】
本発明の一態様は、前記取付装置を取付対象に取り付ける取付装置の取付方法であって、前記付勢部材の付勢力によって前記第二固定部材と一方の前記張出部との間に前記取付対象を挟んだ後に、前記押付切換部によって前記第二固定部材を前記ベース部に押し付ける取付装置の取付方法である。
【発明の効果】
【０００９】
本発明によれば、取付装置を容易に取付対象に取り付けることができる。
【図面の簡単な説明】
【００１０】
【図１】本発明の一実施形態に係る取付装置によって表示装置を机の天板に取り付けた状態の一例を示す斜視図である。
【図２】本発明の一実施形態に係る取付装置を机の天板に取り付けた状態を示す拡大斜視図である。
【図３】本発明の一実施形態に係る取付装置を机の天板に取り付けた状態を示す側面図である。
【図４】本発明の一実施形態に係る取付装置を机の天板に取り付けた状態を示す側断面図である。
【図５】本発明の一実施形態に係る取付装置を示す側面図である。
【図６】本発明の一実施形態に係る取付装置を机の天板に対して着脱する過程を示す側面図である。
【図７】本発明の他の実施形態に係る取付装置を机の天板に取り付けた状態を示す側面図である。
【発明を実施するための形態】
【００１１】
以下、図１〜６を参照して本発明の一実施形態について説明する。
図１に示すように、本実施形態に係る取付装置１は、表示機器ＤＰを机の天板ＴＰ上（机上）に設置するために用いられる。図示例の表示機器ＤＰは、液晶ディスプレイや有機ＥＬディスプレイ等のように板状に形成されているが、これに限ることはない。取付装置１は、表示機器ＤＰを支持する支柱Ｐの下端部に設けられ、取付対象である天板ＴＰの縁部に対して着脱可能に取り付けられる。
【００１２】
図２〜４に示すように、取付装置１は、第一固定部材２と、第二固定部材３と、付勢部材４と、押付切換部５と、を備える。
第一固定部材２は、一方向に延びるベース部１１、及び、一方向におけるベース部１１の両端部に一体に設けられた一対の張出部１２，１３を有する。一方向は、図２〜４における上下方向に対応する。一対の張出部１２，１３は、ベース部１１の両端部から互いに同じ方向（図３，４では左方向）に張り出して一方向において相互に対向する。すなわち、第一固定部材２はコ字状に形成されている。
【００１３】
ベース部１１及び一対の張出部１２，１３の形状や構成は、任意であってよい。
本実施形態のベース部１１は、一方向に延びる平坦面１１ａ，１１ｂを有する。より具体的に、ベース部１１は平板状に形成されている。このため、ベース部１１は、その板厚方向において互いに逆側に向く二つの平坦面１１ａ，１１ｂを有する。また、ベース部１１には、一方向に延びる長孔１１ｃが形成されている。長孔１１ｃは、ベース部１１の板厚方向に貫通している。
【００１４】
本実施形態において、一対の張出部１２，１３は、それぞれベース部１１の第一平坦面１１ａからベース部１１の板厚方向に張り出している。
一対の張出部１２，１３のうち第一張出部１２（一方の張出部）は、後述する第二固定部材３との間に天板ＴＰを挟む第一固定部材２の部位である。一方向で第二張出部１３（他方の張出部）に対向する第一張出部１２の対向面１２ａは、天板ＴＰに対応する面である。本実施形態において、第一張出部１２の対向面１２ａは平坦に形成されている。また、第一張出部１２の対向面１２ａには、天板ＴＰに対するすべり止めや、第一張出部１２による天板ＴＰの傷つきを防ぐことを目的として、シート１４が固定されている。シート１４は、例えば粘性や弾性に富むラバー等の材料によって構成されるとよい。
【００１５】
一対の張出部１２，１３のうち第二張出部１３には、第二張出部１３を一方向に貫通する貫通孔１３ａが形成されている。
本実施形態における一対の張出部１２，１３は、それぞれベース部１１と同様に平板状に形成されている。各張出部１２，１３の板厚方向は、一対の張出部１２，１３の配列方向（一方向）に一致している。すなわち、各張出部１２，１３はベース部１１に直交している。
【００１６】
前述した支柱Ｐは、第一固定部材２に取り付けられる。支柱Ｐは、例えば第二張出部１３に取り付けられてもよいが、本実施形態では第一張出部１２に取り付けられる。第一張出部１２に取り付けられた支柱Ｐは、対向面１２ａと反対側に向く第一張出部１２の外側面１２ｂから概ね一方向に延びる。
【００１７】
第一張出部１２に対する支柱Ｐの取付手法は任意であってよい。本実施形態において、支柱Ｐは取付板部１５を介して第一張出部１２に取り付けられる。取付板部１５は、第一張出部１２の外側面１２ｂに重ねて配され、第一取付ネジ１６によって第一張出部１２に固定される（特に図２参照）。支柱Ｐは、第一張出部１２との間に取付板部１５を挟むように配され、第二取付ネジ１７によって取付板部１５に固定される（特に図４参照）。図４においては、第二取付ネジ１７の頭部が第一張出部１２に干渉しないように、第一張出部１２に第二取付ネジ１７の頭部を収容する収容孔１２ｃが形成されている。
【００１８】
図３，４に示すように、第二固定部材３は、一対の張出部１２，１３の間に配される。第二固定部材３は、第一固定部材２に対して一方向に移動可能に取り付けられる。本実施形態において、第二固定部材３は、第二固定部材３から延びる案内ピン６及び突起部７によって、一方向以外への移動が規制されている。
【００１９】
案内ピン６は、一方向に延びる棒状に形成されている。案内ピン６は、第二固定部材３から一方向に延びて第二張出部１３を一方向に貫通する。具体的に、案内ピン６は、第二固定部材３から第二張出部１３に向けて延びると共に、第二張出部１３の貫通孔１３ａに挿通されている。案内ピン６の長さは、一対の張出部１２，１３の間における第二固定部材３の一方向への移動範囲よりも長いことが好ましい。これにより、案内ピン６が第二張出部１３の貫通孔１３ａから抜け出すことを防止できる。
案内ピン６及び貫通孔１３ａの相対的な径寸法は、一方向に対する案内ピン６の傾斜を貫通孔１３ａによって抑制又は防止できる程度に設定されるとよい。すなわち、案内ピン６の径寸法は少なくとも貫通孔１３ａの内径寸法よりも小さければよいが、案内ピン６の径寸法と貫通孔１３ａの内径寸法との差分は小さい方がより好ましい。
【００２０】
案内ピン６は、例えば第二固定部材３に一体に形成されてよいが、本実施形態では第二固定部材３と別個に形成された上で、第三取付ネジ２０によって第二固定部材３に固定されている（特に図４参照）。第三取付ネジ２０の雄ねじ部は、第二固定部材３を貫通した上で案内ピン６に形成された雌ねじ部に噛み合う。そして、案内ピン６と第三取付ネジ２０の頭部との間に第二固定部材３を挟むことで、案内ピン６が第二固定部材３に固定される。図示例の第三取付ネジ２０は、皿ネジであり、第三取付ネジ２０の頭部が第一張出部１２に対向する第二固定部材３の対向面３ａから突出しないようにしている。
【００２１】
突起部７は、第二固定部材３から延びてベース部１１の長孔１１ｃに挿入される。突起部７の長手方向に直交する突起部７の寸法は、少なくとも長孔１１ｃの幅寸法（短手方向の長さ）よりも小さければよいが、これら突起部７の寸法と長孔１１ｃの幅寸法との差分は小さい方がより好ましい。
突起部７は、第二固定部材３の一方向への移動と共に長孔１１ｃ内において一方向に移動する。このため、一方向における長孔１１ｃの長さは、一対の張出部１２，１３の間における第二固定部材３の一方向への移動範囲よりも長いことが好ましい。これにより、長孔１１ｃが第二固定部材３の一方向への移動を規制することを防止できる。
本実施形態の突起部７は、後述する押付切換部５の一部を構成している。
【００２２】
本実施形態の第二固定部材３は、ベース部１１の第一平坦面１１ａに対向して面接触する平坦な接触面３ｂを有する。前述した突起部７は、第二固定部材３の接触面３ｂからベース部１１に向けて延びる。
また、本実施形態において、第二固定部材３の対向面３ａは、第一張出部１２の対向面１２ａと同様に平坦に形成されている。第一張出部１２の対向面１２ａ及び第二固定部材３の対向面３ａは、第二固定部材３の接触面３ｂがベース部１１の第一平坦面１１ａに面接触した状態で、互いに平行する。
【００２３】
第二固定部材３は、第一張出部１２との間に天板ＴＰを挟む挟持部２１と、挟持部２１と第一張出部１２との間に天板ＴＰを案内する案内部２２と、を有する。挟持部２１と案内部２２とは、ベース部１１の第一平坦面１１ａから離れる方向（図３，４において左方向）に順番に並んでいる。挟持部２１は、第一張出部１２の対向面１２ａと平行する平坦な第二固定部材３の対向面３ａを含む。
【００２４】
案内部２２は、第二固定部材３の対向面３ａに連なる傾斜面２２ａを有する。傾斜面２２ａは、一方向において第一固定部材２に対向する。傾斜面２２ａは、第二固定部材３の対向面３ａ（挟持部２１）の縁から離れるにしたがって一方向において第一張出部１２から離れるように傾斜する。これにより、一方向における第一張出部１２と第二固定部材３との間隔が、第一張出部１２の張り出し方向（図３，４において左方向）に向かうにしたがって広がる。図示例では、傾斜面２２ａが第一張出部１２の張り出し方向において第一張出部１２の先端よりも突出しているが、これに限ることはない。
【００２５】
第二固定部材３の対向面３ａや傾斜面２２ａには、天板ＴＰに対するすべり止めや、第一張出部１２による天板ＴＰの傷つきを防ぐことを目的として、シート２３が固定されている。シート２３は、第一張出部１２に固定されたシート１４と同様に、例えば粘性や弾性に富むラバー等の材料によって構成されるとよい。
本実施形態の第二固定部材３は、平板状の板材に折り曲げ加工を施すことで形成されている。本実施形態では、第二固定部材３のうち接触面３ｂを構成する部位が、ベース部１１の第一平坦面１１ａに重なる平板状とされている。前述した突起部７は、接触面３ｂを含む第二固定部材３の板状部位をその板厚方向に貫通している。
【００２６】
付勢部材４は、第二固定部材３を第一張出部１２に向けて付勢する。付勢部材４は、第二張出部１３と第二固定部材３との間に配される。本実施形態における付勢部材４は、コイルばねである。コイルばねとされた付勢部材４の内側には、前述した案内ピン６が通されている。
第二固定部材３を第一張出部１２に向けて付勢する付勢部材４の付勢力は、少なくとも第二固定部材３が第一張出部１２から離れた状態で生じるとよい。付勢部材４の付勢力は、例えば第二固定部材３が第一張出部１２に接触した状態で生じてもよい。
【００２７】
押付切換部５は、第二固定部材３をベース部１１に押し付ける状態と、ベース部１１に対する第二固定部材３の押し付けを解除する状態とに切り換える。図２〜４に示すように、本実施形態の押付切換部５は、クイックレバー５０である。クイックレバー５０は、棒状部５１と、カム部５２と、操作部５３と、を備える。
【００２８】
棒状部５１は、第二固定部材３から延びてベース部１１を貫通する。具体的に、棒状部５１は、第二固定部材３からベース部１１に向けて延びると共に、ベース部１１の長孔１１ｃに挿通されている。棒状部５１は、例えば雄ねじを有し、第二固定部材３に形成された雌ねじに噛み合ってもよい。この場合には、棒状部５１を回転させることで、第二固定部材３からベース部１１に向けて延びる棒状部５１の長さを調整することができる。
【００２９】
カム部５２は、第二固定部材３との間にベース部１１を挟む位置に配される。カム部５２は、棒状部５１の延長方向の先端部（図３，４において棒状部５１の右側の端部）に対して回転可能に取り付けられる。カム部５２は、棒状部５１の先端部に対して棒状部５１の長手方向に直交する方向（ベース部１１の第二平坦面１１ｂに平行する方向）に延びる軸線Ａ１を中心に回転可能とされる。カム部５２の外周は、軸線Ａ１に対して偏心している。
【００３０】
操作部５３は、カム部５２から一体に延びている。具体的に、操作部５３はカム部５２から前述した軸線Ａ１に直交する方向に延びる。操作部５３は、軸線Ａ１を中心としてカム部５２と共に棒状部５１に対して回転可能とされている。操作部５３は、その長手方向がベース部１１の第二平坦面１１ｂに対して概ね平行する第一位置ＰＰ１と、操作部５３の長手方向がベース部１１の第二平坦面１１ｂに対して概ね直交する第二位置ＰＰ２との間で回転可能である。
【００３１】
図２〜４に示すように、操作部５３を第一位置ＰＰ１に配した状態では、カム部５２がベース部１１に向けて押し付けられる。これにより、棒状部５１がカム部５２側に引っ張られて、第二固定部材３がベース部１１の第一平坦面１１ａに押し付けられる。一方、図５，６に示すように、操作部５３を第二位置ＰＰ２に配した状態では、カム部５２がベース部１１から離れる。このため、ベース部１１に対する第二固定部材３の押し付けが解除される。すなわち、本実施形態では、第一位置ＰＰ１と第二位置ＰＰ２との間で操作部５３を移動させるだけで、第二固定部材３をベース部１１に押し付ける状態と、ベース部１１に対する第二固定部材３の押し付けを解除する状態とに簡単に切り換えることができる。
【００３２】
本実施形態では、ベース部１１の第二平坦面１１ｂとカム部５２との間に介在部材５５が設けられている。介在部材５５は、第二平坦面１１ｂとカム部５２の外周面とにそれぞれ面接触するように形成されている。また、介在部材５５は、棒状部５１を挿通させる環状に形成されている。
【００３３】
本実施形態に係る取付方法は、上記した本実施形態の取付装置１を机の天板ＴＰに取り付ける方法である。以下、取付方法の一例について説明する。
取付装置１を天板ＴＰに取り付ける際には、はじめに、付勢部材４の付勢力によって第一固定部材２の第一張出部１２と第二固定部材３との間に天板ＴＰを挟む。この際には、予め図５に示すように、押付切換部５を操作して（具体的には操作部５３を第二位置ＰＰ２に配して）、ベース部１１に対する第二固定部材３の押し付けを解除しておく。これにより、第二固定部材３を第一固定部材２に対して一方向に移動させることができる。
【００３４】
この状態で、図３に示すように、第一張出部１２と第二固定部材３との間に天板ＴＰを挟む。この際には、天板ＴＰの縁部を第二固定部材３の傾斜面２２ａに押し付ければよい。この押し付け力によって、第二固定部材３が付勢部材４の付勢力に抗って第一張出部１２から離れる方向に移動し、第一張出部１２と第二固定部材３との間に隙間が生じる。これにより、天板ＴＰを第一張出部１２と第二固定部材３の挟持部２１との間に挿入し、付勢部材４の付勢力によって第一張出部１２と第二固定部材３の挟持部２１との間に天板ＴＰを挟むことができる。
【００３５】
第一張出部１２と第二固定部材３との間に天板ＴＰを挟んだ後には、押付切換部５によって第二固定部材３をベース部１１に押し付ける。具体的には、図３に示すように操作部５３を第一位置ＰＰ１に配することで、第二固定部材３の接触面３ｂがベース部１１の第一平坦面１１ａに対して面接触で押し付けられる。この状態では、第二固定部材３とベース部１１との間に生じる摩擦力によって、第二固定部材３が第一固定部材２に対して一方向に移動することを防止できる。
以上により、取付装置１を天板ＴＰに取り付ける取付方法が完了する。
【００３６】
取付装置１を天板ＴＰから取り外す際には、前述した取付装置１の取付方法を逆順で実施すればよい。
すなわち、取付装置１を天板ＴＰから取り外す際には、はじめに、押付切換部５によってベース部１１に対する第二固定部材３の押し付けを解除する。具体的には、操作部５３を第一位置ＰＰ１から第二位置ＰＰ２に移動させる。次いで図６に示すように、第二固定部材３を、付勢部材４の付勢力に抗って第一張出部１２から離れる方向に移動させる。この状態で、天板ＴＰが第一張出部１２と第二固定部材３との間から抜け出るように取付装置１を移動させる。以上により、取付装置１を天板ＴＰから取り外すことができる。
【００３７】
以上説明したように、本実施形態の取付装置１及び取付装置１の取付方法によれば、付勢部材４の付勢力によって第一張出部１２と第二固定部材３との間に天板ＴＰを簡単に挟むことができる。また、第一固定部材２（特に第一張出部１２）に対して第二固定部材３を固定する押付切換部５の操作は、天板ＴＰの厚さに関わらず変化しない。これにより、取付装置１を容易に天板ＴＰに取り付けることができる。
【００３８】
また、本実施形態の取付装置１によれば、ベース部１１が一方向に延びる第一平坦面１１ａを有し、第二固定部材３は第一平坦面１１ａに面接触する平坦な接触面３ｂを有する。このため、押付切換部５によって第二固定部材３をベース部１１に押し付けた状態において第二固定部材３とベース部１１との間に生じる摩擦力が大きくなる。これにより、第二固定部材３が第一固定部材２に対して一方向に移動することを確実に防止できる。
また、互いに接触するベース部１１の第一平坦面１１ａ及び第二固定部材３の接触面３ｂがいずれも一方向に延びる平坦な面に形成されていることで、第二固定部材３を一方向における任意の位置で第一固定部材２に対して固定できる。
【００３９】
また、本実施形態の取付装置１は、第二固定部材３から一方向に延びて第二張出部１３を一方向に貫通する案内ピン６を備える。このため、第二固定部材３は、案内ピン６によって一方向に案内されやすくなる。これにより、第二固定部材３を第一固定部材２に対して一方向に安定に移動させることができる。
【００４０】
また、本実施形態の取付装置１によれば、ベース部１１には一方向に延びる長孔１１ｃが形成されている。さらに、本実施形態の取付装置１は、第二固定部材３から延びてベース部１１の長孔１１ｃに挿入される突起部７を備える。このため、第二固定部材３が、ベース部１１の長孔１１ｃ及び突起部７によって一方向に案内されやすくなる。これにより、第二固定部材３を第一固定部材２に対して一方向に安定に移動させることができる。
【００４１】
また、本実施形態の取付装置１では、押付切換部５が、操作部５３を第一位置ＰＰ１と第二位置ＰＰ２との間で回転させるだけで、第二固定部材３をベース部１１に押し付ける状態とベース部１１に対する第二固定部材３の押し付けを解除する状態とに切り換えることが可能なクイックレバー５０である。このため、ドライバーやスパナ等の工具を用いることなく、ベース部１１に対する第二固定部材３の押し付け状態の切り換えを短時間で操作できる。これにより、取付装置１をさらに容易に天板ＴＰに対して取り付けたり取り外したりすることができる。
【００４２】
また、本実施形態の取付装置１によれば、第二固定部材３が、第一張出部１２との間に天板ＴＰを挟む挟持部２１と、挟持部２１と第一張出部１２との間に天板ＴＰを案内する案内部２２と、を有する。また、案内部２２は、一方向において第一固定部材２に対向し、第二固定部材３の対向面３ａ（挟持部２１）から離れるにしたがって一方向において第一張出部１２から離れるように傾斜する傾斜面２２ａを有する。このため、案内部２２の傾斜面２２ａを天板ＴＰの縁部に押し付けるだけで、この押し付け力によって、第二固定部材３を付勢部材４の付勢力に抗って第一張出部１２から離れる方向に移動させることができる。これにより、第一張出部１２と第二固定部材３との間に簡単に隙間を生じさせて、天板ＴＰを第一張出部１２と第二固定部材３の挟持部２１との間に簡単に挿入することができる。
【００４３】
以上、本発明に係る取付装置、及び取付装置の取付方法の実施形態について説明したが、本発明は上記の実施形態に限定されるものではなく、その趣旨を逸脱しない範囲において適宜変更可能である。
【００４４】
本発明において、第一張出部１２は、例えば上記実施形態の第二固定部材３と同様に、第二固定部材３との間に天板ＴＰを挟む挟持部、及び、挟持部と第二固定部材３との間に天板ＴＰを案内する案内部を有してもよい。この場合、第一張出部１２の案内部は、一方向において第二固定部材３に対向し、かつ、第一張出部１２の挟持部の縁から離れるにしたがって一方向において第二固定部材３から離れるように傾斜する傾斜面を有してよい。案内部の傾斜面は、第二固定部材３及び第一張出部１２のいずれか一方だけが有してもよいし、第二固定部材３及び第一張出部１２の両方が有してもよい。このような構成であっても上記実施形態と同様の効果を奏する。
【００４５】
本発明の取付方法においては、前述した傾斜面を利用せずに、第一張出部１２と第二固定部材３との間に天板ＴＰを挟んでもよい。すなわち、第一張出部１２と第二固定部材３との間に天板ＴＰを挟む際には、例えば、はじめに付勢部材４の付勢力に抗って第二固定部材３を第一張出部１２から離れる方向に移動させて、第二固定部材３と第一張出部１２との間に隙間を形成してよい。この状態で、第二固定部材３と第一張出部１２との隙間に天板ＴＰの縁部を挿入することで、付勢部材４の付勢力によって第一張出部１２と第二固定部材３との間に天板ＴＰを挟んでよい。
【００４６】
本発明の取付装置は、例えば図７に示すように、少なくとも第一固定部材２、第二固定部材３、付勢部材４及び押付切換部５を備えていればよい。第二固定部材３は、少なくとも第一固定部材２の第一張出部１２との間に天板ＴＰを挟む面を有していればよく、上記実施形態のような傾斜面を有さなくてもよい。
【００４７】
本発明の取付装置において、付勢部材４は、コイルばねに限らず、例えば板ばねなどの任意の種類のばねであってよいし、例えばゴム等の弾性体であってもよい。
【００４８】
本発明の取付装置において、押付切換部５は、例えば図７に示すように、軸部６１及び頭部６２を有する切換用ネジ６０であってもよい。切換用ネジ６０の軸部６１は雄ねじを有し、第二固定部材３に形成された雌ねじに噛み合う。切換用ネジ６０の頭部６２は、第二固定部材３との間にベース部１１を挟む位置に配される。この構成では、切換用ネジ６０の頭部６２を手指等で摘まんで回転させるだけで、第二固定部材３をベース部１１に押し付ける状態と、ベース部１１に対する第二固定部材３の押し付けを解除する状態とに、簡単に切り換えることができる。
【００４９】
また、本発明の取付装置において、押付切換部５は、例えば第二固定部材３から延びてベース部１１を貫通する棒状の雄ねじ部、及び、第二固定部材３との間にベース部１１を挟む位置において雄ねじ部に噛み合わせるナットによって構成されてもよい。この構成では、第二固定部材３とナットとの間にベース部１１を挟むことで第二固定部材３をベース部１１に押し付けることができる。また、ナットをベース部１１から離すあるいは雄ねじ部から取り外すことでベース部１１に対する第二固定部材３の押し付けを解除することができる。
【００５０】
本発明の取付装置は、表示機器、照明装置等の各種機器を、机やベッドのフレームなどの各種の取付対象に取り付けるために用いられてよい。
【符号の説明】
【００５１】
１  取付装置
２  第一固定部材
３  第二固定部材
３ａ  対向面
３ｂ  接触面
４  付勢部材
５  押付切換部
６  案内ピン
７  突起部
１１  ベース部
１１ａ  第一平坦面
１１ｂ  第二平坦面
１１ｃ  長孔
１２  第一張出部（一方の張出部）
１２ａ  対向面
１３  第二張出部（他方の張出部）
１３ａ  貫通孔
２１  挟持部
２２  案内部
２２ａ  傾斜面
５０  クイックレバー
５１  棒状部
５２  カム部
５３  操作部
６０  切換用ネジ
ＤＰ  表示機器
Ｐ  支柱
ＴＰ  天板（取付対象）
【図１】
2020197243.tif 000003
【図２】
2020197243.tif 000004
【図３】
2020197243.tif 000005
【図４】
2020197243.tif 000006
【図５】
2020197243.tif 000007
【図６】
2020197243.tif 000008
【図７】
2020197243.tif 000009